(57)【要約】【課題】近接又は広角のプロジェクタ装置であって、投射面とプロジェクタを有し、前記投射面とプロジェクタの間に設けられた連結部材で確実に投射面に対して垂直に位置し、更に前記連結部材によって投射面に投影された投影画像を調整することが容易に可能なプロジェクタ装置を提供するものである。【解決手段】特に、投射面の左右端から伸びた連結部材は投射面の前面位置で交差可能にし、前記連結部材には距離判断手段を具備し、更に前記本体部の下面には前記距離判断手段と嵌め合う距離判断手段受部を具備し、前記距離判断手段と前記距離判断手段受部の組合せにより投影距離を判断する投影距離制御手段を具備してなるプロジェクタ装置である。【選択図】図１
2009069572.tif 000002
【特許請求の範囲】
【請求項１】
光源からの光を画像信号に基づいて変調する光変調部と、前記光変調部によって変調された光を投射面に投影して投影画像を形成する投影光学系とを有する本体部と前記本体部と連結部材により連結される投射面とを備え、前記投射面の下端に連結部材を収納する収納部を有し、連結部材を収納可能なプロジェクタ装置であって、
前記投射面の左右端から伸びた連結部材は投射面の前面位置で交差可能にし、前記連結部材には距離判断手段を具備し、
更に前記本体部の下面には前記距離判断手段と嵌め合う距離判断手段受部を具備し、
前記距離判断手段と前記距離判断手段受部の組合せにより投影距離を判断する投影距離制御手段を具備することを特徴とするプロジェクタ装置。
【請求項２】
一方の連結部材の上面に距離判断手段、他方連結部材には、投射面の前面位置で交差した際、前記判断手段を露呈する孔を前記連結部材が二等辺になるように設けたことを特徴とする請求項１に記載したプロジェクタ装置。
【請求項３】
前記距離判断手段の形状と前記距離判断手段受部の形状の組合せにより本体部から投射面までの投射距離を判断できることを特徴とした請求項１又は請求項２のプロジェクタ装置。
【請求項４】
少なくとも前記距離判断手段受部と前記距離判断手段のどちらか一方に突起を設け、他方には前記突起と組み合わせることが可能な凹部を設けて、前記距離判断手段受部と前記距離判断手段の組合せにより本体部から投射面までの投射距離を判断できることを特徴とした請求項１又は請求項２又は請求３のプロジェクタ装置。
【発明の詳細な説明】
【技術分野】
【０００１】
本発明は、プロジェクタと投射面と、この両者を関係付ける連結部材からなるプロジェクタ装置に関するものである。
【背景技術】
【０００２】
近年、会議やプレゼンテーション、研修、教育などの場面において、プロジェクタ等を使用してスクリーン（投射面）に画像情報や文字情報を映すことが一般的であり、こうした事が頻繁に行われている。また、投射する画面サイズとしては例えば３０インチやそれ以上の大画面とする要求が多く、表示装置はフロント投射型のプロジェクタが主流となっている。
【０００３】
しかしながら、一般のプロジェクタではそのような大画面に投射する為にはスクリーンとプロジェクタとの間隔を相当の距離を空ける必要がある。従って、プロジェクタを部屋中央付近等の視聴者のスペース内に設置することとなり、視聴者のスペースを奪う結果となっていた。それに加えて、プロジェクタとスクリーンの間の空間に物や人等が存在する場合、投射の邪魔になったり、画像が切れたり、見にくくなったりしていた。
【０００４】
そこで、それに対して、広角又は近接の投射用レンズを備えたプロジェクタがあり、このプロジェクタは、プロジェクタとスクリーンとを接近させることができるという有効な利点を有している。よって前記した家庭内や会議室内などの狭い空間でも、視聴者のスペースを奪うことなく比較的大きな投射画像を得ることができる。更に、プロジェクタから投射面に至るまでの空間に人や物が存在する場合には投射の障害となり、投射された映像が切れたり、見難くなったりすることがあり、投射面とプロジェクタとのあいだの空間を少なくすることが出来るので効果的にプロジェクタ装置を設置できるようになった。
【０００５】
しかし、広角又は近接のプロジェクタ装置は、広角又は近接が故に投射面に対する投射画像の調整が難しいという問題が生じる。例えば、投射面に対してプロジェクタ装置の投射光軸が垂直に成る様に設置しなければ、投射画像の歪みが投射面に現れやすく、投射面に映し出される画像の歪みが生じ見にくいものとなっていた。
【０００６】
こうした問題を解決するために、特開２００３−２２８１２８号公報が存在するが、この発明は、従来のプロジェクタ装置では、プロジェクタの前面に光学系の距離検出器を数個設けたこと等によって、高価に成るなどする為、それを解決するため、プロジェクタの位置決めを容易に、かつ安価に行うことができるプロジェクタを提供するものである。
その為には、プロジェクタとスクリーンの間を相互に連結する一対の接続手段を設けたものであり、左右対象の連結部材であり、その左右の連結部材は索状体とこの索状体を巻き取るリールとからなる。更に、索状体にマーキングを施し、プロジェクタをその同じマーキング位置で左右の索状体を止めればスクリーンとプロジェクタが垂直となるようになるものである。
【０００７】
また、特開２００５−１１５１５６号公報は、机上用のプロジェクタであり、特に前記特開２００５−１１５１５６号公報の第４実施形態のプロジェクタであり、位置決め部材の長さが固定ではなく、伸縮させることにより可変に構成されており、各所望の投影距離の長さに対応する各位置に長さを検出する長さ検出装置が伸縮させた部材に設けられている。
【特許文献１】特開２００３−２２８１２８号公報（図２、図４）
【特許文献２】特開２００５−１１５１５６号公報（図４）
【発明の開示】
【発明が解決しようとする課題】
【０００８】
しかしながら、特許文献１に記載されたプロジェクタでは、左右の連結部材は索状体とこの索状体を巻き取るリールとからなるものであり、左右の索状体にマーキングが設けられており、そのマーキング位置にあわせることで投射面とプロジェクタを垂直にすることができ、投射面での投射画像の歪を補正するものである。
この方法では、マーキングの為に巻き取るリールの巻き取り量を左右あわせなければならず、位置あわせには煩雑となっている。また、索状体であるので索状体自身に、熱やテンション力が加わることにより、伸縮した場合、左右のマーキング位置はあっているが、実際は投射面に垂直ではなくなり、投射画像に歪が生じる問題がある。更に、索状体にマーキングを施しただけで、物理的な位置設置だけであるので位置を合わせるだけである。
【０００９】
また、特許文献２に記載されたプロジェクタでは、机上用であり、本発明とは課題が異なるもので長さ検出機構で検出した長さ信号に応じて決まる投影距離に位置する机面に結像するものである。このプロジェクタは机上に既に垂直に設けられて、位置決め部材に長さ検出装置を設けて、短い距離で投影画像を調整するものであるので、投射面とプロジェクタの垂直を心配することはない。
【００１０】
本発明は、従来からの問題を解決するためになされたものであり、近接又は広角のプロジェクタ装置であって、投射面とプロジェクタを有し、前記投射面とプロジェクタの間に設けられた連結部材で確実に投射面に対して垂直に位置し、更に前記連結部材によって投射面に投影された投影画像を調整することが容易に可能なプロジェクタ装置を提供するものである。
【課題を解決するための手段】
【００１１】
上記目的を達成するために、請求項１に係る発明のプロジェクタは、光源からの光を画像信号に基づいて変調する光変調部と、前記光変調部によって変調された光を投射面に投影して投影画像を形成する投影光学系とを有する本体部と前記本体部と連結部材により連結される投射面とを備え、前記投射面の下端に連結部材を収納する収納部を有し、連結部材を収納可能なプロジェクタ装置であって、
前記投射面の左右端から伸びた連結部材は投射面の前面位置で交差可能にし、前記連結部材には距離判断手段を具備し、
更に前記本体部の下面には前記距離判断手段と嵌め合う距離判断手段受部を具備し、
前記距離判断手段と前記距離判断手段受部の組合せにより投影距離を判断する投影距離制御手段を具備している。
【００１２】
また、請求項２に係る発明のプロジェクタは、請求項１に記載の発明の構成に加えて、一方の連結部材の上面に距離判断手段、他方連結部材には、投射面の前面位置で交差した際、前記判断手段を露呈する孔を前記連結部材が二等辺になるように設けたことを特徴とする。
【００１３】
また、請求項３に係る発明のプロジェクタは、請求項１又は請求項２に記載の発明の構成に加えて、前記距離判断手段の形状と前記距離判断手段受部の形状の組合せにより本体部から投射面までの投射距離を判断できることを特徴とする。
【００１４】
また、請求項４に係る発明のプロジェクタは、請求項１又は請求項２又は請求項３に記載の発明の構成に加えて、少なくとも前記距離判断手段受部と前記距離判断手段の一方に突起を設け、他方には異なった形状を設けて、前記距離判断手段受部と前記距離判断手段の組合せにより本体部から投射面までの投射距離を判断できることを特徴とする。
【発明の効果】
【００１５】
本発明は、こうした構成であるので、請求項１に係るプロジェクタ装置は、特に前記投射面の左右端から伸びた連結部材は投射面の前面位置で交差可能にし、前記連結部材には距離判断手段を具備し、更に前記本体部の下面には前記距離判断手段と嵌め合う距離判断手段受部を具備し、前記距離判断手段と前記距離判断手段受部の組合せにより投影距離を判断する投影距離制御手段を具備することを特徴とするプロジェクタ装置である。
【００１６】
よって、連結部材が交差する位置にプロジェクタの本体が載せられ設置されるので、プロジェクタと投射面の位置合せが容易であり、連結部材であるので使用頻度による変形、経時的な変形によるそれ自身の変形も少ない。また、投射面に対してプロジェクタを常に垂直に維持でき、同時に投影距離判断手段では、投射画像のフォーカス及び歪補正の調整を行えるものである。
【００１７】
また、請求項２に係るプロジェクタ装置は、特にどちらか一方の連結部材の上面に距離判断手段、他方連結部材には、投射面の前面位置で交差した際、前記判断手段を露呈する孔を前記連結部材が二等辺になるように設けたことを特徴とするプロジェクタ装置であるので、位置合せ及び特に投射面に対して垂直位置に維持できるものである。
【００１８】
また、請求項３に係るプロジェクタ装置は、特に距離判断手段の形状と距離判断手段受部の形状の組合せにより本体部から投射面までの投射距離を判断できることを特徴とするプロジェクタ装置である。
【００１９】
よって、左右の連結部材を交差させ組み合わせただけで、投射面とプロジェクタの距離が判断できるので、その情報で投射映像の焦点距離、歪を補正し調整することが容易にできるものである。
【００２０】
また、請求項４に係る発明のプロジェクタは、特に、少なくとも前記距離判断手段受部と前記距離判断手段の一方に突起を設け、他方には異なった形状を設けて、前記距離判断手段受部と前記距離判断手段の組合せにより本体部から投射面までの投射距離を判断できることを特徴とするプロジェクタ装置である。よって、請求項３と同様に左右の連結部材を交差させ組み合わせただけで、投射面とプロジェクタの距離が判断できるので、その情報で投射映像の焦点距離、歪を適格に調整することが容易にできるものである。
【発明を実施するための最良の形態】
【００２１】
以下、本発明に係るプロジェクタ装置について具現化した実施形態について図１から図６に基づき詳細に説明する。
【００２２】
本発明は、以下に示す実施形態は一例に過ぎず、本発明はこの実施形態に限定されるべきものではない。
【００２３】
まず本発明の実施形態について、本発明ではプロジェクタの投影位置を投射面より遠い位置からＡ、Ｂ、Ｃの位置で、３段階として表している。
【００２４】
3段階の位置を設けるために突起１５０、１５１、１５２と孔７を前記突起１５０、１５１、１５２に対応するように設けて3段階の位置を形成している。
【００２５】
詳細は後述するが、
Ａの位置のときには、投射面から一番遠い位置になるように設けられた突起１５０と孔７であり、投射面一杯に投影映像を投射可能である。
【００２６】
また、Ｂの位置のときには、ＡとＣの間の位置であり、投射面に比して小さい投影画像を投射可能であり、突起１５１と孔７により形成される。
【００２７】
最後にＣの位置のときには、投射面から一番近い位置になるように設けられた突起１５２と孔７であり、一番小さい投影映像を投射可能である。
【００２８】
本発明は代表して３段階の投影位置を表しているが、段階を増やす減らすことも本発明の意図するところである。
図１は、本発明の実施例全体の説明図である。図２は、本発明のプロジェクタ装置を作動させて投影面に投影画像を投射している説明図である。
図３は、連結部材３（左右の連結部材３Ｌと３Ｒを意味する）がＡの位置で交差する場合のプロジェクタ本体部４と組み合わされた状態の説明図である。また図４は、連結部材３Ｌ、３ＲがＡの位置で交差する場合のプロジェクタ本体部４を取り外した際の孔及び距離判断手段の状態説明図である。
【００２９】
１は、プロジェクタ装置であり、プロジェクタ本体部４、連結部材３、投射面２からなるものである。
【００３０】
２は、前記したように投射面であり、プロジェクタ本体部４からの投射画像を投影可能とするものであり、投影可能であればその材質は問わない。
また、投射面２には、前記投射面２の下方部に連結部材３を収納可能とする連結部材収納部５が設けられており、プロジェクタ装置を使用しない場合に連結部材３の収納を容易とするものである。
更に、左右の連結部材収納部５の内部には回転可能に、左右夫々の連結部材３が設けられており、プロジェクタ装置のセット時には連結部材収納部から回転して張設される。
【００３１】
３は、前記したように板状の連結部材であり、左右の連結部材３Ｌ、３Ｒのどちらかの連結部材３には数個の距離判断手段を設け、他方には左右の連結部材３を組み合わせた際に、前記距離判断手段６を露呈する数個の孔７が設けられている。
左右の連結部材３に設けられる数個の距離判断手段６と数個の孔７の位置は、プロジェクタ装置のセット時に左右の連結部材３と投射面で作られる三角形が二等辺三角形になるように距離判断手段６と孔７が対応するように設けられている。
即ち、連結部材３が二等辺三角形の二等辺を形成するように構成されている。
更に、連結部材３の一端は、連結孔（図示せず）が設けられており、連結部材収納部５の内部に設けられた軸（図示せず）と回転可能に設けられている。
連結部材収納部５の内部に設けられた軸（図示せず）の位置は、投射面の左右端近傍と同位置になるように夫々設けられている。
【００３２】
４は、前記したようにプロジェクタ本体部であり、図５に示すように、プロジェクタ本体４は、略箱型の筐体を備えている。筐体の一側面（前面）には、後述するように形成された画像光を図示外の投射面に投射するための投光用開口部８が設けられている。また、プロジェクタ本体部４の下面には、後述する距離判断手段受部９が設けられている。また前記プロジェクタ本体部４の上面には、電源スイッチ等の操作スイッチ（図示せず）が設けられている。
プロジェクタ本体４の下面に設けられた距離判断手段受部９と前記連結部材３に設けられた突起１５０が嵌め合うように前記プロジェクタ本体４が連結部材３に載設される。
【００３３】
次に、図６を参照して、プロジェクタ本体部４の内部に収納されている電気的構成について説明する。図６に示すように、プロジェクタは、ＣＰＵ１００、ＲＯＭ（図示せず）、ＲＡＭ（図示せず）、制御パネル１０１、電源スイッチ（図示せず）、投射面とプロジェクタ本体部の距離を検知する検知スイッチ１０２、画像処理回路１０３、ランプ制御回路１０４を備え、これらはバス１０５を介して互いに接続されている。なお、これらはすべて、プロジェクタ本体部４の筐体内部に収容されている。
前記検出スイッチ１０２は、Ａの位置でＯＮになる１０２Ｂと１０２Ｃ、Ｂの位置でＯＮする１０２ＢとＯＦＦになる１０２Ｃ、Ｃの位置でＯＦＦになる１０２ＢとＯＮになる１０２Ｃが設けられている。本発明の検出スイッチ１０２は、１０２Ｂ、１０２Ｂの２個のスイッチであるが、突起の形状や凹部１４０の形状による組み合わせで検出スイッチの設置を多くすることができ多くの種類の位置設定が可能である。
【００３４】
ＣＰＵ１００は、ＲＯＭに予め格納されたプログラムを読み出して実行することにより、プロジェクタ全体の制御を司る。ＲＡＭは、ＣＰＵ１００が各種処理の際使用する、各種データを一時的に記憶する記憶エリア等を備えている。
【００３５】
制御パネル１０１は、電源スイッチ等を含み操作者がプロジェクタの各種操作を行うためのパネルであって、筐体の外部に設けられている（図示せず）。操作者が、制御パネル１０１を用いて画面設定等の操作を行うと、ＣＰＵ１００は、操作内容に応じた制御を実行する。
【００３６】
映像信号入力回路１０６は、コンポジット映像信号（例えばＮＴＳＣ映像信号）やコンポーネント映像信号（例えばＲＧＢ信号）等の映像信号を外部からケーブルを介して入力するときに使用される回路である。
【００３７】
投影部１０８は、ランプ制御回路１０４、ランプ制御回路１０４により駆動されるランプ１０９、ランプ１０９からの光が最初に入射する照明光学系１１０、照明光学系からの照明光を変調して画像光を形成するＬＣＤ、デジタルマイクロデバイス等の光変調素子１１１、光変調素子１１１からの画像光をスクリーンに投射する結像光学系１１２、画像処理回路１０３、画像処理回路１０３からの信号に基づきＬＣＤ、デジタルマイクロデバイス等の光変調素子１１１を駆動する光変調素子ドライブ回路１１３、および結像光学系１１２のフォーカス合わせを行うフォーカス調整機構１１４（図７に示す）を備えている。
【００３８】
ランプ制御回路１０４は、バス１０５に接続されており、ＣＰＵ１００からの指示に従って、ランプ１０９を点灯／消灯させる。ランプ１０９は、光源として用いられる高圧放電ランプである。具体的には、キセノンランプ、メタルハライドランプ、超高圧水銀ランプ等を用いることができる。
【００３９】
照明光学系１１０は、ＬＣＤの場合、ランプ１０９から照射された光を平行光にして光変調素子１１１に入射させるための照明レンズ（図示せず）からなる。
【００４０】
バス１０５に接続された画像処理回路１０３は、ＣＰＵ１００からの指示に従って、映像信号入力回路１０６に入力された映像信号を加工する。そして、加工後の映像信号が、光変調素子ドライブ回路１１３へ入力される。光変調素子ドライブ回路１１３は、入力された加工後の映像信号に基づいて、光変調素子ドライブ回路１１３に接続された光変調素子１１１（ＬＣＤやデジタルマイクロデバイス（ＤＭＤ））を駆動する。
【００４１】
一例として光変調素子１１１がＬＣＤの場合には、カラーフィルタを内蔵するカラー液晶パネルであって、光変調素子ドライブ回路１１３により駆動されて画像を表示する一方、照明光学系１１０によって照明されている。光変調素子１１１は、照明光学系１１０からの照明光を変調し、表示された画像の画像光を形成し、結像光学系１１２に出射する。
【００４２】
結像光学系１１２は投射レンズを備え、光変調素子１１１により形成された画像光を、プロジェクタの筐体に設けられた投光用開口部８（図５参照）を通して、プロジェクタ装置１として設けられた投射面２に投射する。なお、結像光学系１１２には、バス１０５を介してＣＰＵ１００によって制御されるフォーカス調整機構１１４が接続されており、投射面２に投影される画像のフォーカスを調整することができる。
【００４３】
フォーカス調整機構１１４は、図６、図７に示すように、検出スイッチ１０２の検出信号がＣＰＵ１００により制御され、ＣＰＵ１００からフォーカス調整機構１１４に指示される。
前記フォーカス調整機構１１４は、ステッピングモータ１２０、モータの駆動を伝達するギヤー機構１２１からの駆動を受ける副鏡筒１２３に設けられたギヤー部１２４により副鏡筒１２３が、主鏡筒１２５の内部を摺動することによってフォーカス（焦点）合わせを行う。また、主鏡筒１２５は、数枚のレンズが投影する為に順に並べられており、その一部に副鏡筒１２３が設けられており、副鏡筒１２３内には１枚以上のレンズが設けられ、フォーカス合せを行うことが出来る。前記主鏡筒１２５は、プロジェクタ本体部の内部に固定されており動かない。
距離判断手段６と距離判断手段受部９について、詳細に述べると、
一方の連結部材３に設けられた距離判断手段６は、図４に示されているように、プロジェクタ本体部４の下面に設けられた距離判断手段受部９と着脱自在に嵌合可能としている。一方の連結部材３に設けられた３個の距離判断手段６と他方の連結部材３に設けられた同数３個の孔７は、一方の連結部材６と他方の連結部材６が交差したときに投射面２と成す形状が二等辺三角形になるように距離判断手段６の突起と孔７が配置されている。距離判断手段６の突起の形状は、プラス字形状とマイナス形状であり、距離判断手段受部９に嵌合するようにマイナス形状の方向が異なって設けられている。
前記距離判断手段受部９は、図５に示されているように、凹み形状の凹部１４０として設けられている。本実施例は十字形状の凹みであり、凹部１４０の内壁面に検出スイッチ１０２が直交する十字の隣り合う一片に1個つづ設けられている。
このように設けることで距離判断手段６、距離判断手段受部９の形状と検出スイッチ１０２の配置により３段階の距離検出が可能である。
本発明の実施例として、Ａ、Ｂ、Ｃの３段階の位置を設定した場合の例を挙げて詳細に説明する。但し本実施例は一例に過ぎず、こうした距離判断手段６と孔７を同様に多く設ければ更に細かく設定できることは本発明の意図するところである。
（左右の連結部材３がＡの位置で交差する場合）
図１、図２、図３、図４と図８により詳細に説明する。
図８は、連結部材３がＡの位置で交差する場合の孔及び距離判断手段６の状態を示す詳細説明図である。（１）の図は、プロジェクタ装置１の側面図であり、（２）はＡＡで切断して拡大した説明図である。
投射画像は、投射面２の最大限の範囲を使用することになり、最大限の画像になるよう設定されている。３個の孔７を設けた側の連結部材３と突起１５０、１５１、１５２を設けた距離判断手段６を設けた側の連結部材３と投射面２は、二等辺三角形を成して、投射面とプロジェクタ本体部４は垂直状態を維持する。
Ａの位置で、一方の連結部材３には十字形状の突起１５０が設けられており、他方の連結部材３には孔７が設けられ、両方の連結部材３を交差させ、前記孔７と突起１５０を組み合わせることにより、孔７から前記突起１５０を露呈する。更に、露呈された前記突起１５０とプロジェクタ本体部４の下面に設けられた凹部１４０が着脱自在に組み合わされる。プロジェクタ本体部４の凹部１４０の内壁面には、検出スイッチ１０２が直交する十字の隣り合う片に1個づつ設けられている。
【００４４】
したがって、前記突起１５０と凹部１４０が組み合わされると２個の検出スイッチ１０２Ｂ、Ｃが作動することになり、ＣＰＵ１００とフォーカス調整機構１１４を作動させ、Ａ位置の所定のフォーカスに合わせて投射面に投影画像を明確に投射することができる。
（左右の連結部材３がＢの位置で交差する場合）
図９、図１０、図１１と図１２により詳細に説明する。
図９は、連結部材３がＢの位置で交差する場合の本発明のプロジェクタ装置を作動させて投影面に投影画像を投射している説明図である。図１０は、連結部材３がＢの位置で交差する場合のプロジェクタ本体部４と組み合わされた状態の説明図である。また図１１は、連結部材３がＢの位置で交差する場合のプロジェクタ本体部４を取り外した際の孔及び距離判断手段の状態説明図である。
図１２は、連結部材３がＢの位置で交差する場合の孔及び距離判断手段の状態を示す詳細説明図である。（１）の図は、プロジェクタ装置１の側面図であり、（２）はＢＢで切断して拡大した説明図である。
Ｂの位置の投射画像は、Ａの位置より投射画像が小さく、Ｃの位置より投射画像が大きく投射画像を投影できる位置である。
３個の孔７を設けた側の連結部材３と突起１５０、１５１、１５２を設けた距離判断手段６を設けた側の連結部材３と投射面２は、二等辺三角形を成して、投射面とプロジェクタ本体部４は垂直状態を維持する。
一方の連結部材３に設けられた距離判断手段６の突起１５１はマイナス形状を有している。そして、プロジェクタ本体部４の下面に設けられた距離判断手段９の十字形状の凹部１４０と前記マイナス形状を有している突起１５１と着脱自在に組み合わされる様に、突起１５１は設けられている。
前記突起１５１は十字形状のどちらか１辺に組み合わされ、２個ある検出スイッチ１０２Ｂ、Ｃのうち一方の検出スイッチ１０２ＢをＯＮにし、他方の検出スイッチ１０２Ｃは突起１５１がマイナス形状をしているのでＯＦＦの状態となる。
この２つの検出スイッチの組み合わせで、Ｂの位置のプロジェクタ本体部４から投射面２までの投影距離が明らかとなり、容易に投射面とプロジェクタ本体部との距離に合わせたフォーカス、補正等を行い鮮明な映像が投射面に投影画像が映し出されることになる。
【００４５】
したがって、Ａの位置と同様に前記突起１５１と凹部１４０が組み合わされると２個の検出スイッチ１０２Ｂ、Ｃの内、検出スイッチ１０２ＢがＯＮ、１０２ＣがＯＦＦとして作動することになり、ＣＰＵ１００とフォーカス調整機構１１４を作動させ、Ｂの位置の所定のフォーカスに合わせて投射面に投影画像を明確に投射することができる。
（左右の連結部材３がＣの位置で交差する場合）
図１３、図１４、図１５と図１６により詳細に説明する。
図１３は、連結部材３がＣの位置で交差する場合の本発明のプロジェクタ装置を作動させて投影面に投影画像を投射している説明図である。図１４は、連結部材３がＣの位置で交差する場合のプロジェクタ本体部４と組み合わされた状態の説明図である。また図１５は、連結部材３がＣの位置で交差する場合のプロジェクタ本体部４を取り外した際の孔及び距離判断手段の状態説明図である。
図１６は、連結部材３がＣの位置で交差する場合の孔及び距離判断手段の状態を示す詳細説明図である。（１）の図は、プロジェクタ装置１の略側面図であり、（２）はＣＣで切断して拡大した説明図である。
Ｃの位置の投射画像は、Ａ、Ｂの位置より投射画像が小さく、Ｃの位置は一番投射画像が小さく投射画像を投影できる位置である。
３個の孔７を設けた側の連結部材３と突起１５０、１５１、１５２を設けた距離判断手段６を設けた側の連結部材３と投射面２は、二等辺三角形を成して、投射面とプロジェクタ本体部４は垂直状態を維持する。
一方の連結部材３に設けられた距離判断手段６の突起１５２はマイナス形状を有している。そして、プロジェクタ本体部４の下面に設けられた距離判断手段９の十字形状の凹部１４０と前記マイナス形状を有している突起１５２と着脱自在に組み合わされる様に、突起１５２は設けられている。
前記突起１５２は、Ｂの位置の状態のマイナス形状と着脱自在に組み合わされた十字形状の他方の１辺に組み合わされ、２個ある検出スイッチ１０２Ｂ、Ｃのうち一方の検出スイッチ１０２ＣをＯＮにし、他方の検出スイッチ１０２Ｂは突起１５２がマイナス形状をしているのでＯＦＦの状態となる。
この２つの検出スイッチの組み合わせで、Ｃの位置のプロジェクタ本体部４から投射面２までの投影距離が明らかとなり、容易に投射面とプロジェクタ本体部との距離に合わせたフォーカス、補正等を行い鮮明な映像が投射面に投影画像が映し出されることになる。
【００４６】
したがって、Ｃの位置と同様に前記突起１５２と凹部１４０が組み合わされると２個の検出スイッチ１０２Ｂ、Ｃの内、検出スイッチ１０２ＣがＯＮ、１０２ＢがＯＦＦとして作動することになり、ＣＰＵ１００とフォーカス調整機構１１４を作動させ、Ｃの位置の所定のフォーカスに合わせて投射面に投影画像を明確に投射することができる。
【００４７】
本実施例は、一例に過ぎず、当事者の知識に基づいて種々の変形、改良を施した他の形態で本発明を実施することが可能である。
例えば、凹部１４０が４角形で、突起１５０の形状が３角形を成しており、４角形の各辺に検出スイッチが設けられ、４通りの設定が可能であり、同様に凹部が５角形、６角形、８角形などの多角形で構成されても良く、同様に突部１５０を３角形とし、各辺に検出スイッチを多角形の辺の数だけ設ければ、更に多くの、細かい設定が可能としても良い。
【００４８】
最後に図１７は、プロジェクタ本体部を取り外すと、図４、図１１、図１５の状態になり、３個の孔７が設けられた側の連結部材３を上方に少し持ち上げ、突起１５０、１５１，１５２が設けられた側の連結部材３を下方に少し押し下げ、孔７と突起との組み合わされた状態を開放する。そして、左右の連結部材３を連結部材収納部５に収納された状態（図１７）のようになる。このとき、３個の孔７を設けた側の連結部材３には、突起１５０、１５１、１５２を回避して収納出来る収納回避部１６０により、連結部材収納部５に収納可能となる。こうして連結部材を収納できるのでスペースを取ることも無く収納性も良い。
【図面の簡単な説明】
【００４９】
【図１】本発明の実施例全体の説明図である。
【図２】本発明のプロジェクタ装置を作動させて投影面に投影画像を投射している説明図である。
【図３】連結部材３がＡの位置で交差する場合のプロジェクタ本体部４と組み合わされた状態の説明図である。
【図４】連結部材３がＡの位置で交差する場合のプロジェクタ本体部４を取り外した際の孔及び距離判断手段の状態説明図である。
【図５】プロジェクタ本体部４の斜め上方及び斜め下方から見た状態の説明図である。
【図６】本発明のプロジェクタ本体部のブロック図である。
【図７】本発明のフォーカス調整機構の説明図である。
【図８】連結部材３がＡの位置で交差する場合の孔及び距離判断手段の状態を示す詳細説明図である。
【図９】連結部材３がＢの位置で交差する場合の本発明のプロジェクタ装置を作動させて投影面に投影画像を投射している説明図である。
【図１０】連結部材３がＢの位置で交差する場合のプロジェクタ本体部４と組み合わされた状態の説明図である。
【図１１】連結部材３がＢの位置で交差する場合のプロジェクタ本体部４を取り外した際の孔及び距離判断手段の状態説明図である。
【図１２】連結部材３がＢの位置で交差する場合の孔及び距離判断手段の状態を示す詳細説明図である。
【図１３】連結部材３がＣの位置で交差する場合の本発明のプロジェクタ装置を作動させて投影面に投影画像を投射している説明図である。
【図１４】連結部材３がＣの位置で交差する場合のプロジェクタ本体部４と組み合わされた状態の説明図である。
【図１５】連結部材３がＣの位置で交差する場合のプロジェクタ本体部４を取り外した際の孔及び距離判断手段の状態説明図である。
【図１６】連結部材３がＣの位置で交差する場合の孔及び距離判断手段の状態を示す詳細説明図である。
【図１７】プロジェクタ本体部を取り外し、左右の連結部材３を連結部材収納部５に収納された状態である。
【符号の説明】
【００５０】
１：プロジェクタ装置
２：投射面
３：連結部材
４：プロジェクタ本体部
５：連結部材収納部
６：距離判断手段
７：孔
８：投光用開口部
９：距離判断手段受部
１００：ＣＰＵ
１０１：制御パネル
１０２：検出スイッチ
１０３：画像処理回路
１０４：ランプ制御回路
１０５：バス
１０６：投影信号入力手段
１０８：投影部
１０９：ランプ
１１０：照明光学系
１１１：光変調素子
１１２：結像光学系
１１３：光変調素子ドライブ回路
１１４：フォーカス調整機構
１４０：凹部
１５０、１５１、１５２：突起
【図１】
2009069572.tif 000003
【図２】
2009069572.tif 000004
【図３】
2009069572.tif 000005
【図４】
2009069572.tif 000006
【図５】
2009069572.tif 000007
【図６】
2009069572.tif 000008
【図７】
2009069572.tif 000009
【図８】
2009069572.tif 000010
【図９】
2009069572.tif 000011
【図１０】
2009069572.tif 000012
【図１１】
2009069572.tif 000013
【図１２】
2009069572.tif 000014
【図１３】
2009069572.tif 000015
【図１４】
2009069572.tif 000016
【図１５】
2009069572.tif 000017
【図１６】
2009069572.tif 000018
【図１７】
2009069572.tif 000019